(57)【特許請求の範囲】
【請求項１】
第一プロトコルを用いた通信により通信端末の識別情報を含むスキャン要求を取得する第一通信部と、
第二プロトコルを用いた近距離無線通信により通信端末の識別情報を取得する第二通信部と、
前記第一プロトコルを用いた通信により取得した識別情報と前記第二プロトコルを用いた通信により取得した識別情報とが一致するか否かを判定する判定部と、
前記第一プロトコルを用いた通信により取得した識別情報と前記第二プロトコルを用いた通信により取得した識別情報とが一致した場合に、前記スキャン要求に応じたスキャン画像データを前記通信端末に送信する送信制御部と、
光学系とイメージセンサーを含む走査部と、
前記スキャン要求に応じて前記走査部を制御して、原稿から画像データを取得するスキャン制御部と、
を備え、
前記第二通信部は、前記第一プロトコルを用いた通信により前記スキャン要求が取得されたことに応じて前記第二プロトコルを用いた近距離無線通信により通信端末の識別情報を取得し、
前記第二通信部が前記第二プロトコルを用いた近距離無線通信により通信端末の識別情報を取得した状態で、前記スキャン制御部は前記スキャン要求に応じて前記原稿を読み取らせるイメージスキャナー。
【請求項２】
前記スキャン画像データを読み取るための原稿を検出する検出部をさらに備え、
前記第二通信部は、前記原稿が検出されたことに応じて前記第二プロトコルを用いた通信により通信端末の識別情報を取得する、
請求項１に記載のイメージスキャナー。
【請求項３】
イメージスキャナーと通信端末とを含むイメージスキャンシステムであって、
前記イメージスキャナーは、
第一プロトコルを用いた通信により通信端末の識別情報を含むスキャン要求を取得する第一通信部と、
第二プロトコルを用いた近距離無線通信により前記通信端末の識別情報を取得する第二通信部と、
前記第一プロトコルを用いた通信により取得した識別情報と前記第二プロトコルを用いた通信により取得した識別情報とが一致するか否かを判定する判定部と、
前記第一プロトコルを用いた通信により取得した識別情報と前記第二プロトコルを用いた通信により取得した識別情報とが一致した場合に、前記スキャン要求に応じたスキャン画像データを前記通信端末に送信する送信制御部と、
光学系とイメージセンサーを含む走査部と、
前記スキャン要求に応じて前記走査部を制御して、原稿から画像データを取得するスキャン制御部と、
を備え、
前記通信端末は、
前記第一プロトコルを用いた通信により前記スキャン要求を前記イメージスキャナーに送信する第三通信部と、
前記第二プロトコルを用いた近距離無線通信により前記識別情報を読み取らせる第四通信部と、
を備え、
前記第二通信部は、前記第一プロトコルを用いた通信により前記スキャン要求が取得されたことに応じて前記第二プロトコルを用いた近距離無線通信により通信端末の識別情報を取得し、
前記第二通信部が前記第二プロトコルを用いた近距離無線通信により通信端末の識別情報を取得した状態で、前記スキャン制御部は前記スキャン要求に応じて前記原稿を読み取らせるイメージスキャンシステム。
【発明の詳細な説明】
【技術分野】
【０００１】
本発明はイメージスキャナーおよびイメージスキャンシステムに関する。
【背景技術】
【０００２】
特許文献１には、スマートフォンなどの携帯型通信端末を複合機に備わるアンテナの近くにかざすだけで、複合機から携帯型通信端末にスキャン画像データを送信できる画像処理システムが開示されている。
【先行技術文献】
【特許文献】
【０００３】
【特許文献１】特開２０１０−１７７９３８号公報
【発明の概要】
【発明が解決しようとする課題】
【０００４】
ところで通信によってイメージスキャナーを外部装置で共用できるシステムでは、原稿を複合機にセットした後に、複合機に接続された外部装置を用いて他人がスキャンを要求することが起こりえる。この場合に、原稿をセットしていない人が、他人の原稿から読み取ったスキャン画像データを入手できてしまうとすれば、情報漏洩の危険がある。
【０００５】
本発明は、このような問題を解決するために創作されたものであって、スキャン画像データの漏洩を防止する技術の提供を目的の一つとする。
【課題を解決するための手段】
【０００６】
（１）上記目的を達成するためのイメージスキャナーは、第一プロトコルを用いた通信により通信端末の識別情報を含むスキャン要求を取得する第一通信部と、第二プロトコルを用いた近距離無線通信により前記通信端末の識別情報を取得する第二通信部と、前記第一プロトコルを用いた通信により取得した識別情報と前記第二プロトコルを用いた通信により取得した識別情報とが一致するか否かを判定する判定部と、前記第一プロトコルを用いた通信により取得した識別情報と前記第二プロトコルを用いた通信により取得した識別情報とが一致した場合に、前記スキャン要求に応じたスキャン画像データを前記通信端末に送信する送信制御部と、を備える。
本発明によると、画像処理装置が近距離無線通信により識別情報を取得できない通信端末からのスキャン要求に応じてはスキャン画像データを送信しないため、スキャン画像データの漏洩を防止することができる。
【０００７】
（２・３）上記目的を達成するためのイメージスキャナーにおいて、通信端末から識別情報を取得するきっかけは、スキャン要求が取得されたことでもよいし、スキャン画像データを読み取るための原稿が検出されたことでもよい。スキャン画像データを読み取るための原稿が検出されたことに応じて通信端末から識別情報を取得し、スキャン要求に含まれる識別情報と照合する場合には、スキャン画像データがさらに漏洩しにくくなる。
【０００８】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は、イメージスキャンシステムや、イメージスキャン方法やイメージスキャンプログラムやイメージスキャンプログラムの記録媒体としても成立する。むろん、その記録媒体は、磁気記録媒体であってもよいし光磁気記録媒体であってもよいし、今後開発されるいかなる記録媒体であってもよい。
【図面の簡単な説明】
【０００９】
【図１】本発明の第一実施例にかかるネットワーク図である。
【図２】本発明の第一実施例にかかるブロック図である。
【図３】本発明の第一実施例にかかるシーケンスチャートである。
【図４】本発明の第一実施例にかかるシーケンスチャートである。
【図５】本発明の第一実施例にかかるシーケンスチャートである。
【図６】本発明の第二実施例にかかるブロック図である。
【図７】本発明の第二実施例にかかるシーケンスチャートである。
【発明を実施するための形態】
【００１０】
以下、本発明の実施の形態を添付図面を参照しながら説明する。尚、各図において対応する構成要素には同一の符号が付され、重複する説明は省略される。
【００１１】
１．第一実施例
図１は、本発明の第一実施例としてのイメージスキャナー１と通信端末２、４とを含むイメージスキャンシステムを示すネットワーク図である。イメージスキャナー１は、任意の通信端末にドライバーとしてのスキャン指示プログラムをインストールして使用することが可能である。本実施例では、スマートフォン２とＰＣ４とにスキャン指示プログラムがインストールされ、イメージスキャナー１とスマートフォン２とＰＣ４とがアクセスポイント３で接続されることにより、イメージスキャンシステムが構成されるものとする。
【００１２】
図２に示すように、イメージスキャナー１は、無線ＬＡＮプロトコル（ＩＥＥＥ８０２．１１）で外部機器と通信するための第一通信部１４、ＮＦＣプロトコル（ＩＳＯ／ＩＥＣ１８０９２）で外部機器と通信するための第二通信部１５、コンピューターで構成された制御部１３、並びに、光学系とリニアイメージセンサーを含む走査部１１を備えている。スマートフォン２は、タッチパネルディスプレイで構成された表示部２４および操作部２５、コンピューターで構成された制御部２３、無線ＬＡＮプロトコル（ＩＥＥＥ８０２．１１）で外部機器と通信するための第三通信部２１、並びに、ＮＦＣプロトコル（ＩＳＯ／ＩＥＣ１８０９２）で外部機器と通信するための第四通信部２２を備えている。なお、本実施例のイメージスキャンシステムを構成する通信端末としてのＰＣ４の構成はスマートフォン２と実質的に同一であるため説明を省略する。
【００１３】
イメージスキャナー１の制御部１３は、主記憶装置であるＲＡＭ、外部記憶装置であるフラッシュメモリ、プロセッサおよび入出力機構を備え、フラッシュメモリに記憶されたスキャン制御プログラムをＲＡＭにロードしてプロセッサで実行することにより、スキャン制御部１３１、第一通信制御部１３２および第二通信制御部１３３として機能する。
【００１４】
第一通信制御部１３２は、無線ＬＡＮプロトコルで外部機器と通信するための第一通信部１４を制御し、第一通信部１４を用いた通信により、外部の通信端末の識別情報を含むスキャン要求を取得し、スキャン要求に応じたスキャン画像データを外部の通信端末に送信する。
【００１５】
第二通信制御部１３３は、ＮＦＣプロトコルで外部機器と通信するための第二通信部１５を制御し、第二通信部１５を用いた通信により、第二通信部１５にかざされた通信端末の識別情報を読み取る。
【００１６】
スキャン制御部１３１は、スキャン要求に応じて走査部１１を制御して原稿から読み取ったスキャン画像データを取得し、スキャン画像データを外部機器やリムーバブルメモリに出力する。そしてスキャン制御部１３１は、後述する一連のスキャンシーケンスにおいて第一通信制御部１３２から取得する通信端末の識別情報と第二通信制御部１３３から取得する通信端末の識別情報とを照合する判定部としての機能も有する。またスキャン制御部１３１は、これら２つの識別情報が一致する場合には、スキャン要求に応じて走査部１１から取得する画像データを第一通信部１４から通信端末に送信し、２つの識別情報が一致しない場合には、スキャン要求に応じて画像データを送信しない送信制御部としての機能も有する。
【００１７】
スマートフォン２の制御部２３は、主記憶装置であるＲＡＭ、外部記憶装置であるフラッシュメモリ、プロセッサおよび入出力機構を備え、フラッシュメモリに記憶されたスキャン指示プログラムとしてのドライバーをＲＡＭにロードしてプロセッサで実行することにより、スキャン指示部２３３、第三通信制御部２３２および第四通信制御部２３１として機能する。
【００１８】
スキャン指示部２３３は、表示部２４を制御し、操作部２５からの入力を受け付けることにより、スキャン要求など、イメージスキャナー１に対する各種の指示を受け付けたり、スキャン画像を表示するためのＧＵＩを構成する。
【００１９】
第三通信制御部２３２は、無線ＬＡＮプロトコルで外部機器と通信するための第三通信部２１を制御し、第三通信部２１を用いた通信により、スマートフォン２の識別情報を含むスキャン要求をイメージスキャナー１に送信し、スキャン要求に応じたスキャン画像データをイメージスキャナー１から受信する。
【００２０】
第四通信制御部２３１は、ＮＦＣプロトコルで外部機器と通信するための第四通信部２２を制御し、第四通信部２２を用いた通信により、スマートフォン２の識別情報をイメージスキャナー１の第二通信部１５に読み取らせる。
【００２１】
次に図３から図５を参照しながら本実施例のイメージスキャンシステムの作動について説明する。図３から図５に示す一連のスキャンシーケンスは、スマートフォン２またはＰＣ４において、ユーザーがスキャン指示プログラムを起動すると起動する。以下、スマートフォン２のユーザーがスキャン指示プログラムを起動した後に、イメージスキャナー１に原稿をセットしてスキャン要求を入力し、スキャン画像データを取得するスキャンシーケンスについて説明する。
【００２２】
はじめにスマートフォン２のスキャン指示部２３３は、外部の通信端末と通信するためのスマートフォン２の識別情報を第三通信部２１から第三通信制御部２３２を介して取得する（Ｓ１）。このような識別情報として、本実施例ではスマートフォン２の第三通信部２１に割り当てられているＭＡＣアドレスを用いる。識別情報としては、物理アドレスを用いても良いし、ＩＰアドレス、電子メールアドレスなどの論理アドレスを用いても良いし、ユーザー名などの一意性が保証されてない情報を用いても良い。
【００２３】
次にスマートフォン２のスキャン指示部２３３は、第三通信部２１から取得したスマートフォン２の識別情報を第四通信制御部２３１に設定する（Ｓ３）。
【００２４】
スキャン指示プログラムを起動したスマートフォン２のユーザーは、原稿をイメージスキャナー１にセットした後に、スキャン要求をスマートフォン２に入力する。スマートフォン２のスキャン指示部２３３は、ユーザーの操作に応じてイメージスキャナー１に対するスキャン要求を操作部２５から取得すると、第三通信部２１を介してイメージスキャナー１にスキャン要求を送信する（Ｓ４ａ、Ｓ４ｂ）。このときスキャン指示部２３３は、スマートフォン２の識別情報をスキャン要求のパラメーターとして設定し、スキャン要求とともにスマートフォン２の識別情報をイメージスキャナー１に送信する。
【００２５】
イメージスキャナー１に対するスキャン要求が送信されると、イメージスキャナー１のスキャン制御部１３１は、第一通信部１４および第一通信制御部１３２を介してスキャン要求を受信する（Ｓ４ｃ）。
【００２６】
次にイメージスキャナー１のスキャン制御部１３１は、第一通信制御部１３２からスキャン要求を取得し、取得したスキャン要求から識別情報を取得する（Ｓ５）。
【００２７】
次にイメージスキャナー１のスキャン制御部１３１は、第二通信制御部１３３および第二通信部１５を介して外部の通信端末から識別情報を取得する（Ｓ６ａ、Ｓ６ｂ）。すなわちスキャン制御部１３１はＮＦＣプロトコルを用いた通信により外部の通信端末から識別情報を取得する。このとき、第二通信部１５にスマートフォン２がかざされていれば、すなわちイメージスキャナー１の第二通信部１５と通信可能な範囲にスマートフォン２の第四通信部２２が存在すれば、スマートフォン２の識別情報を第二通信部１５が読み取ってスキャン制御部１３１が取得することになる。
【００２８】
次にイメージスキャナー１のスキャン制御部１３１は、第一通信部１４を介して受信したスキャン要求から取得した識別情報と、第二通信部１５を介して要求して取得した識別情報とを照合する（Ｓ７）。すなわちスキャン制御部１３１は、一連のスキャンシーケンスにおいて、無線ＬＡＮプロトコルを用いた通信によりスキャン要求とともに取得した外部の通信端末の識別情報と、ＮＦＣプロトコルを用いた通信により取得した外部の通信端末の識別情報とが一致するか否かを判定する。
【００２９】
まず、ユーザーがスマートフォン２をイメージスキャナー１の第二通信部１５にかざした状態でスマートフォン２にスキャン要求を入力した場合の後続の処理について図４を参照しながら説明する。
【００３０】
この場合、第一通信部１４を介して受信したスキャン要求から取得した識別情報と、第二通信部１５を介して要求して取得した識別情報とが一致するため、スキャン制御部１３１は、スキャン要求に応じて走査部１１を制御して原稿を読み取らせ、スキャン画像データを走査部１１から取得する。すなわちスキャンを実行する（Ｓ８）。
【００３１】
次にスキャン制御部１３１は、イメージスキャナー１に対してスキャン要求を送信した外部の通信端末に、第一通信部１４および第一通信制御部１３２を介してスキャン画像データを送信する（Ｓ９ａ、Ｓ９ｂ）。その結果、無線ＬＡＮプロトコルを用いた通信により、イメージスキャナー１からスマートフォン２にスキャン画像データが送信される。
【００３２】
スマートフォン２の第三通信部２１がスキャン画像データを受信すると、スキャン指示部２３３は、第三通信制御部２３２からスキャン画像データを取得し（Ｓ９ｃ）、取得したスキャン画像データに基づいてスキャン画像を表示部２４の画面に表示する（Ｓ１０）。
【００３３】
次に、スマートフォン２のユーザーが原稿をイメージスキャナー１にセットした後にスマートフォン２を第二通信部１５にかざしている間に、ＰＣ４のユーザーがスキャン要求を入力した場合の後続の処理について図５を参照しながら説明する。
【００３４】
この場合、スキャン制御部１３１は、第一通信部１４を介してスキャン要求とともにＰＣ４の識別情報を取得し、第二通信部１５を介してスマートフォン２の識別情報を取得することになるため、第一通信部１４を介して受信したスキャン要求から取得した識別情報と、第二通信部１５を介して要求して取得した識別情報とが一致しない。この場合、スキャン制御部１３１は、スキャンの実行を中止し（Ｓ１１）、スキャン要求を送信した外部の通信端末であるＰＣ４に対して、第三通信部２１を介してエラーを通知する（Ｓ１２ａ、Ｓ１２ｂ）。すなわち、原稿をイメージスキャナー１にセットしたユーザーと異なるＰＣ４のユーザーがスキャン要求した場合のように、イメージスキャナー１に手が届く範囲でスキャン要求が入力されなかった場合には、イメージスキャナー１は原稿のスキャンを実行しない。
【００３５】
ここで、原稿をイメージスキャナー１にセットしたユーザーがスマートフォン２をイメージスキャナー１の第二通信部１５にかざしていない状態でスマートフォン２にスキャン要求を入力した場合も、スキャン制御部１３１は第二通信部１５を介してスマートフォン２から識別情報を取得できない。したがって、この場合も、スキャン制御部１３１は、スキャンの実行を中止し（Ｓ１１）、スキャン要求を送信した外部の通信端末であるスマートフォン２に対して、第三通信部２１を介してエラーを通知する（Ｓ１２ａ、Ｓ１２ｂ）。そこでスキャン要求の入力を受け付けるスマートフォン２のＧＵＩには、スマートフォン２をイメージスキャナー１の第二通信部１５にかざした状態でスキャン要求を入力するように案内するメッセージを表示することが好ましい。
【００３６】
スマートフォン２の第三通信部２１がエラーを受信すると、スキャン指示部２３３は、第三通信制御部２３２からエラー通知を取得し（Ｓ１２ｃ）、取得したエラー通知に基づいてエラーのメッセージを表示部２４の画面に表示する（Ｓ１３）。
【００３７】
以上説明した第一実施例によると、イメージスキャナー１に手が届く範囲でスキャン要求が入力されなければ、イメージスキャナー１は原稿のスキャンを実行しないため、スキャン画像データの漏洩を防止することができる。
なお、上述したステップＳ６においてイメージスキャナー１のスキャン制御部１３１が第二通信制御部１３３および第二通信部１５を介して外部の通信端末から識別情報を取得する際に、予め決められた時間（例えば１分間）、識別情報を受信できるまで識別情報の要求を繰り返してもよい。この構成を採用する場合、外部の通信端末からスキャン要求を入力してからイメージスキャナー１に外部の通信端末をかざさなければならない時間の長さを任意に定めることが可能である。例えば、イメージスキャナー１から離れた位置でスキャン要求をスマートフォン２に入力した後に、イメージスキャナー１に近づき、スマートフォン2をイメージスキャナー１にかざすことにより、原稿のスキャンが開始されるようになる。
【００３８】
２．第二実施例
図６に示すように、イメージスキャナー１には、スキャン画像データを読み取るための原稿を検出する検出部１２をさらに備えてもよい。検出部１２は、原稿を直接検出する構成であっても良いし、原稿をイメージスキャナー１にセットする際に動く要素の動作を検出することによって原稿を検出する構成でも良い。前者の構成としては、ユーザーがプラテンガラスやＡＤＦに原稿を載置することによって入射光が変化する位置に光センサーを設ければよい。後者の構成としては、プラテンガラスを覆うカバーの開閉を検出したり、ＡＤＦのモーターやローラーの回転角度を検出するセンサーを設ければよい。
【００３９】
以下、図７を参照しながらイメージスキャナー１に検出部１２を備えるイメージスキャンシステムの作動について説明する。図７に示すスキャンシーケンスは、スキャン指示プログラムの起動後に、スマートフォン２をイメージスキャナー１の第二通信部１５にかざした状態で原稿をイメージスキャナー１にセットすることを前提としている。
【００４０】
本実施例では、スキャン制御部１３１は、検出部１２が原稿を検出すると（Ｓ２１）、その直後に、第二通信制御部１３３および第二通信部１５を介して外部の通信端末から識別情報を取得する（Ｓ６ａ、Ｓ６ｂ）。すなわち、イメージスキャナー１に原稿がセットされると、スキャン制御部１３１はＮＦＣプロトコルを用いた通信により外部の通信端末から識別情報を取得する。このとき、第二通信部１５にスマートフォン２がかざされていれば、すなわちイメージスキャナー１の第二通信部１５と通信可能な範囲にスマートフォン２の第四通信部２２が存在すれば、スマートフォン２の識別情報を第二通信部１５が読み取ってスキャン制御部１３１が取得することになる。スキャン要求をスマートフォン２に入力する以前に、スマートフォン２をイメージスキャナー１の第二通信部１５にかざしておく必要があるため、原稿セット後にスキャン指示プログラムを起動するユーザーなどを想定して、スキャン指示プログラムの起動後にスマートフォン２をイメージスキャナー１の第二通信部１５にかざした状態で原稿を再度セットするように案内するメッセージをスマートフォン２のＧＵＩに表示してもよい。
【００４１】
スキャン指示プログラムを起動したスマートフォン２のユーザーは、原稿をイメージスキャナー１にセットした後に、スキャン要求をスマートフォン２に入力する。スマートフォン２のスキャン指示部２３３は、ユーザーの操作に応じてイメージスキャナー１に対するスキャン要求を操作部２５から取得すると、第三通信部２１を介してイメージスキャナー１にスキャン要求を送信する（Ｓ４ａ、Ｓ４ｂ）。
【００４２】
次にイメージスキャナー１のスキャン制御部１３１は、第一通信制御部１３２からスキャン要求を取得し、取得したスキャン要求から識別情報を取得する（Ｓ５）。
【００４３】
次にイメージスキャナー１のスキャン制御部１３１は、第一通信部１４を介して受信したスキャン要求から取得した識別情報と、原稿の検出に応じて第二通信部１５を介して要求して取得した識別情報とを照合する（Ｓ７）。
【００４４】
識別情報を照合した後の処理は、第一実施例と同様である。本実施例では、スキャン要求をスマートフォン２に入力する時点では、スマートフォン２がイメージスキャナー１の第二通信部１５にかざされている必要はない。すなわち本実施例では、イメージスキャナー１において原稿を検出したタイミングでイメージスキャナー１からスマートフォン２に識別情報を要求するため、スマートフォン２をイメージスキャナー１の第二通信部１５にかざした状態で原稿をイメージスキャナー１にセットしたユーザーは、その後にイメージスキャナー１から離れてスキャン要求をスマートフォン２に入力しても、スキャン画像データを取得することができる。
【００４５】
なお、第一実施例では、原稿をセットしたユーザーがイメージスキャナー１から離れてしまうと、他のユーザーが通信端末をイメージスキャナー１の第二通信部１５にかざした状態でスキャン要求を入力してスキャン画像データを取得することができる。これに対し、第二実施例においては、原稿がイメージスキャナー１にセットされた状態で第二通信部１５にかざされていた通信端末以外からスキャン要求が入力された場合には、イメージスキャナー１は原稿のスキャンを実行しないため、スキャン画像データがさらに漏洩しにくくなる。
【００４６】
３．他の実施形態
尚、本発明の技術的範囲は、上述した実施例に限定されるものではなく、本発明の要旨を逸脱しない範囲内において種々変更を加え得ることは勿論である。第一プロトコルは、スキャン画像データを送受信するために用いられるため、第二プロトコルよりもデータ転送速度が高速であることが望ましい。また第二プロトコルは、イメージスキャナーを手で操作できる範囲に通信範囲が限定されていることが望ましい。第一プロトコル及び第二プロトコルは、それぞれに要求される機能を満たすものであれば、現在策定されている他のプロトコルを用いても良いし、将来策定されるプロトコルを用いても良い。例えば、第二プロトコル（近距離無線通信プロトコル）として、ＩＳＰ／ＩＥＣ１４４４３やＩＳＯ／ＩＥＣ１５６９３やＴｒａｎｓｆｅｒＪｅｔ（登録商標）を用いても良いし、第一プロトコルとしてＩＥＥＥ８０２．１５（Ｂｌｕｅｔｏｏｔｈ）を用いても良い。また第一プロトコルはイーサネット（登録商標）などの有線通信のプロトコルを用いても良い。
【００４７】
またイメージスキャナーが通信端末の識別情報を含むスキャン要求を取得するタイミングと第二プロトコルを用いて通信端末の識別情報を取得するタイミングとは、どちらが先でも良いし、実質的に（人間の感覚的には）同時でも良い。
また第一プロトコルを用いた通信により取得した識別情報と第二プロトコルを用いた通信により取得した識別情報とが一致するか否かを判定するに際して、第二プロトコルを用いて識別情報を取得できない場合は、２つの識別情報が一致しないものとすることはいうまでもない。
そして、第一プロトコルを用いた通信により取得した識別情報と第二プロトコルを用いた通信により取得した識別情報とが一致しない場合にも、スキャン画像データを送信しなければ、原稿からスキャン画像データを読み取っても良い。
また、第二実施例において原稿の検出をきっかけとして識別情報を取得する際にも、一定期間、識別情報を繰り返し要求することにして、原稿をイメージスキャナー１にセットしてからスマートフォン２をイメージスキャナー１にかざすまでの時間差を許容しても良い。
また、イメージスキャナーには、印刷機能やＧ３プロトコルのファクシミリ機能を備えても良いことはいうまでもない。
【符号の説明】
【００４８】
１…イメージスキャナー、２…スマートフォン、３…アクセスポイント、４…ＰＣ、１１…走査部、１２…検出部、１３…制御部、１４…第一通信部、１５…第二通信部、２１…第一通信部、２２…第二通信部、２３…制御部、２４…表示部、２５…操作部、１３１…スキャン制御部、１３２…第一通信制御部、１３３…第二通信制御部、２３１…第四通信制御部、２３２…第三通信制御部、２３３…スキャン指示部
【図１】
0006597194.tif 000002
【図２】
0006597194.tif 000003
【図３】
0006597194.tif 000004
【図４】
0006597194.tif 000005
【図５】
0006597194.tif 000006
【図６】
0006597194.tif 000007
【図７】
0006597194.tif 000008